(57)【要約】【課題】専用の解除冶具を常備することにより電線解除を容易に行って作業性の向上を図ることができるとともに、代用品による無理な電線解除を行わずに部品の破損を防止することができ、給電部品に電線が届かなくなることを防止することができる照明器具を提供する。【解決手段】照明器具１０は、電線解除穴３０への解除治具１９の挿入により電線２２，２３との電気的な接続を解除される速結端子を有する給電部品１５を備え、解除治具１９を、照明器具１０を構成する部材の一部に一体に形成した。【選択図】図２
2011023152.tif 000002
【特許請求の範囲】
【請求項１】
電線解除穴への解除治具の挿入により電線との電気的な接続を解除される速結端子を有する給電部品を備えた照明器具であって、
前記解除治具は、前記照明器具を構成する部材の一部に一体に形成されていることを特徴とする照明器具。
【請求項２】
前記解除治具は、前記照明器具から切り離して使用できることを特徴とする請求項１に記載した照明器具。
【請求項３】
前記解除治具は、使い捨てであって、前記照明器具に少なくとも１個以上備えられており、前記給電部品、あるいは前記給電部品を有する電子ブロックなどの推奨交換回数と同数の個数備えられていることを特徴とする請求項２に記載した照明器具。
【請求項４】
前記解除治具は弾性部材であって、片側端部が二股形状であり、前記二股形状の片側に解除部を有するとともに反対側に支え部を有し、前記片側端部の反対側に握り部を有することを特徴とする請求項２または３に記載した照明器具。
【請求項５】
前記解除治具は、前記照明器具を構成する絶縁部材の一部に、一体に形成されていることを特徴とする請求項２〜４のいずれかに記載した照明器具。
【発明の詳細な説明】
【技術分野】
【０００１】
本発明は、例えば住宅等の天井面に取り付けられる照明器具に関し、特に電線を電気的に接続する速結端子を有する給電部品を備えた照明器具に関する。
【背景技術】
【０００２】
速結端子を有する給電部品を備えた照明器具においては、寿命を迎える給電部品や安定器等を新しい給電部品や安定器に交換する際に、速結端子に接続された電線を取り外す必要がある。
【０００３】
その際、速結端子の電線を取り外すことができる給電部品の場合、解除ボタンが設けられているタイプと、解除治具を電線解除穴に挿入するタイプとの、主に２つがある。解除治具を用いて電線を取り外すタイプの場合は、専用の解除治具での電線解除が好ましい。
【０００４】
このような背景に鑑み、本発明者らは、解除ボタンを設けているタイプとして、速結端子の鎖錠部材を押圧して電線を解除する解除ボタンをハウジングに設けた照明器具を既に提案している（例えば、特許文献１参照）。
【０００５】
また、本発明者らは、解除治具を電線解除穴に挿入するタイプとして、解除穴を電線挿入穴から離れた側の面が傾斜面をなすように形成した照明器具を既に提案している（例えば、特許文献２参照）。
【先行技術文献】
【特許文献】
【０００６】
【特許文献１】特開２００３−１９７２８８号公報（図３、請求項１）
【特許文献２】実開平５−４３４６８号公報（図１、請求項１）
【発明の概要】
【発明が解決しようとする課題】
【０００７】
ところで、使用期間を満了した給電部品の交換時等に行う電線の解除作業において、解除治具を電線解除穴に挿入するタイプの場合、電線の解除には解除治具が必要である。しかし、作業を行う現場において解除治具を持っている可能性は低い。
【０００８】
解除治具がない場合、針金等で代用するか、代用品がない場合は電線を切断している。代用品を用いた場合、作業性が悪く、作業に時間がかかる。これとは異なり、電線を切断した場合、電線が短くなるので新しく交換した給電部品に電線が届かなくなることが懸念される。
【０００９】
また、交換される新しい給電部品に予め電線を結線しておくこともできるが、電線同士の結合が必要となり、速結の場合より手間と時間がかかる。
【００１０】
仮に汎用の解除治具を持っていた場合も、その器具によっては速結端子付近のスペースが狭く、一般的な汎用の解除治具を使用できないケースもある。スペースが狭く、無理な作業を行った場合は他の部品を破損する恐れもある。
【００１１】
一方、解除ボタンを設ける場合、電線解除穴を設ける場合に比べて製造コストが上がる。さらに、給電部品自体に解除治具を形成する方法もあるが、汎用部品である給電部品が大きくなり、好ましくない。
【００１２】
本発明は、前述した課題を解決するためになされたものであり、その目的は、専用の解除冶具を常備することにより電線解除を容易に行って作業性の向上を図ることができるとともに、代用品による無理な電線解除を行わずに部品の破損を防止することができ、給電部品に電線が届かなくなることを防止することができる照明器具を提供することにある。
【課題を解決するための手段】
【００１３】
本発明に係る照明器具は、電線解除穴への解除治具の挿入により電線との電気的な接続を解除される速結端子を有する給電部品を備えた照明器具であって、前記解除治具は、前記照明器具を構成する部材の一部に一体に形成されていることを特徴とする。
【００１４】
本発明においては、解除治具が、例えば天板、天板カバー、絶縁部材、ソケット台等の照明器具を構成する部材の一部に常備される。
これにより、使用期間を満了した給電部品の交換時等に行う電線の解除作業において、その照明器具に常備されている解除治具を用いることになる。
従って、専用の解除冶具を常備することにより電線解除を容易に行って作業性の向上を図ることができる。
【００１５】
本発明においては、給電部品に合わせた解除治具が装備される。
これにより、給電部品の電線解除穴へ、規格に合う解除治具が挿入される。
従って、代用品による無理な電線解除を行わずに部品の破損を防止することができる。
【００１６】
本発明においては、専用の解除治具が適用される。
これにより、電線を切断する必要がなくなる。
従って、給電部品に電線が届かなくなることを防止することができ、作業性の向上を図ることができる。
【００１７】
本発明においては、解除治具が、照明器具を構成する部材の一部に形成される。
これにより、解除治具を別部品として設ける必要がなくなる。
従って、単一の金型で照明器具を構成する部材と解除治具とをいっしょに形成することにより生産性の向上を図ることができる。
【００１８】
本発明に係る照明器具は、上記照明器具において、前記解除治具は、前記照明器具から切り離して使用できることを特徴とする。
【００１９】
本発明においては、解除治具が照明器具から切り離されて使用される。
これにより、速結端子のすぐ側に解除治具を形成する必要がなくなる。
従って、解除治具を、例えば外観から見えない位置に形成するなど、形成する場所の自由度を高くすることができ、場所を選ばないために形状の自由度を大きくすることができる。また、解除治具が形成されている照明器具の特徴（給電部品の配置など）に合わせた専用設計ができ、専用設計により作業性の向上、作業時間の短縮を実現することができる。さらに、電線解除だけでなく、照明器具から外れにくい給電部品を、てこの原理で外すなど、別の用途に使用することもできる。加えて、一つの照明器具において複数箇所に速結端子を有する場合、一つの解除治具で、それら全ての電線を解除することができる。
【００２０】
本発明に係る照明器具は、上記照明器具において、前記解除治具は、使い捨てであって、前記照明器具に少なくとも１個以上備えられており、前記給電部品、あるいは前記給電部品を有する電子ブロックなどの推奨交換回数と同数の個数備えられていることを特徴とする。
【００２１】
本発明においては、使い捨てで使用される解除治具が、給電部品、あるいは給電部品を有する電子ブロックなどの推奨交換回数と同数の個数備えられる。
これにより、照明器具が寿命を迎えるまでに想定される給電部品の交換回数分の解除治具を形成することにより、解除治具の残りの本数によって、照明器具の寿命を推測しやすくなり、それら解除治具を全て使用した場合、給電部品のみの交換でなく、照明器具自体の交換を促すことができる。
【００２２】
本発明に係る照明器具は、上記照明器具において、前記解除治具は弾性部材であって、片側端部が二股形状であり、前記二股形状の片側に解除部を有するとともに反対側に支え部を有し、前記片側端部の反対側に握り部を有することを特徴とする。
【００２３】
本発明においては、解除治具が、例えばＵ字形やＶ字形のような二股形状に形成される。
これにより、速結端子付近のスペースが狭い場合にも用いることができる。
従って、一般的な解除治具を使用することができない速結端子においても使用できるために、狭いスペースでの作業性を向上して、作業時間を短縮することができる。
【００２４】
本発明に係る照明器具は、上記照明器具において、前記解除治具は、前記照明器具を構成する絶縁部材の一部に、一体に形成されていることを特徴とする。
【００２５】
本発明においては、解除治具が、例えば天板、絶縁部材、ソケット台等の照明器具を構成する部材のうちの絶縁部材の一部に一体に形成される。
これにより、絶縁部材が絶縁体であるために、通電中の電線を誤って解除しようとしたとしても解除治具に通電することがない。
従って、解除作業中に作業者が解除治具を通じで感電することを防止できるとともに、複数箇所を同時に解除できる解除治具を形成することができるために作業効率を向上させることができる。
【発明の効果】
【００２６】
本発明の照明器具によれば、解除治具を、照明器具を構成する部材の一部に一体に形成した。
これにより、専用の解除冶具を常備することにより電線解除を容易に行って作業性の向上を図ることができるとともに、代用品による無理な電線解除を行わずに部品の破損を防止することができ、給電部品に電線が届かなくなることを防止することができるという効果を有する。
【図面の簡単な説明】
【００２７】
【図１】本発明に係る第１実施形態の照明器具の分解斜視図
【図２】図１に示した照明器具における給電部品の電線解除動作を説明する外観斜視図
【図３】本発明に係る第２実施形態の照明器具の分解斜視図
【図４】本発明に係る第３実施形態の照明器具の分解斜視図
【図５】本発明に係る第４実施形態の照明器具の分解斜視図
【図６】本発明に係る第５実施形態の照明器具の分解斜視図
【図７】図６に示した照明器具における給電部品の電線解除動作を説明する外観斜視図
【図８】本発明に係る第６実施形態の照明器具の分解斜視図
【図９】図８に示した照明器具における解除冶具周りの拡大図
【図１０】本発明に係る第７実施形態の照明器具の分解斜視図
【図１１】図１０に示した照明器具における解除冶具周りの拡大図
【図１２】本発明に係る第８実施形態の照明器具の分解斜視図
【図１３】図１２に示した照明器具における解除冶具周りの拡大図
【図１４】本発明に係る第９実施形態の照明器具の分解斜視図
【図１５】図１４に示した照明器具における解除冶具周りの拡大図
【図１６】本発明に係る第１０実施形態の照明器具の分解斜視図
【発明を実施するための形態】
【００２８】
以下、本発明の複数の実施形態に係る照明器具について図面を参照して説明する。
【００２９】
（第１実施形態）
図１に示すように、本発明の第１実施形態である照明器具１０は、天板１１と、光源である球型のランプ１２と、ランプ１２を装着するソケット１３と、ソケット１３を取り付けているソケット台１４と、給電部品１５と、絶縁部材１６と、反射板１７と、枠部材１８と、照明器具１０を構成する天板１１、絶縁部材１６、ソケット台１４のうちの一部品である天板１１に取り外し自在に設けられた第１解除治具１９と、を備えて、不図示の天井面に埋設されてダウンライトに適用される。
【００３０】
天板１１は、例えば若干の弾性を有する樹脂材料により比較的薄い板形状に形成されており、図１中の左方側である先端部に円弧形状に形成された円形板部２０を有し、図１中の右方側である円形板部２０の反対側に四角形に形成された矩形板部２１を有する。天板１１の中央部には切り起し成形されたソケット台１４が形成されている。
【００３１】
天板１１には、ソケット台１４の一方側に給電部品１５が固定されている。給電部品１５は外部から引き込まれてきた外部電線（図２参照）２２と、ソケット１３内および不図示の安定器内から引き出されてきた内部電線（図２参照）２３とを電気的に接続する。
【００３２】
天板１１は給電部品１５の側部に解除治具収納部２４を形成している。解除治具収納部２４は、半円筒形状に形成されており、第１解除治具１９を挿通することにより第１解除治具１９を天板１１に保持する。
【００３３】
絶縁部材１６は、絶縁材料を用いて円筒形状に形成されており、天板１１の円形板部２０に取り付けられる。
【００３４】
反射板１７は、絶縁部材１６よりも小さい外径の円筒形状に形成されており、絶縁部材１６の内側に取り付けられる。
【００３５】
枠部材１８は、化粧用の板部材であって、絶縁部材１６および反射板１７の下端部に取り付けられる。
【００３６】
第１解除治具１９は、全体としてＶ字の二股形状に形成された本体２５を有し、本体２５の片側に軸形状をなす解除部２６を有するとともに反対側に支え部２７を有し、本体２５の基部に握り部２８を有する。なお、第１解除治具１９はＶ字形状に代えてＵ字形状に形成されても良い。
【００３７】
第１解除治具１９は、連結部２９を介して解除部２６が天板１１の矩形板部２１の端部に接続されており、必要に応じて連結部２９を引きちぎる等することにより天板１１から分離されて使用される。
【００３８】
第１解除治具１９は、天板１１を作成する際に同時に作成されるために、天板１１と同一の樹脂材料により弾性を有するものとして成形される。
【００３９】
次に、給電部品１５の詳細構造および給電部品１５を用いた電線接続作業と電線解除作業とについて説明する。
【００４０】
図２に示すように、給電部品１５は、第１解除治具１９の解除部２６を電線解除穴３０に挿入するタイプであり、不図示の速結端子と鎖錠部材とをハウジング３１内に収容している。給電部品１５はハウジング３１の側部に電線挿入穴３２と電線解除穴３０とを設けている。
【００４１】
給電部品１５を用いた電線接続作業では、ソケット１３内および安定器内から引き出されている内部電線２３を一方の電線挿入穴３２にそれぞれ押圧挿入する。この押圧挿入に伴い、内部電線２３は鎖錠部材を弾性変形させて進行し、鎖錠部材に蓄積されている弾性反発力により速結端子に電気的に接続される。なお、この作業は工場の組立工程にて行われる。
【００４２】
次に、施工現場において、外部から引き込まれてきた外部電線２２を他方の電線挿入穴３２にそれぞれ押圧挿入する。この押圧挿入に伴い、外部電線２２は鎖錠部材を弾性変形させて進行し、鎖錠部材に蓄積されている弾性反発力により速結端子に電気的に接続される。これにより、内部電線２３と外部電線２２とが給電部品１５を通じて電気的に接続されて回路を形成する。
【００４３】
給電部品１５を用いた電線解除作業は施工現場で行われる。寿命を迎える給電部品１５を新しい給電部品１５に交換する必要が生じた際に、まず、連結部２９を引きちぎることにより第１解除治具１９を天板１１から取り外す。
【００４４】
そして、第１解除冶具１９の握り部２８を手で握り、一方の指で支え部２７を支えて他方の指で解除部２６を支えながら、解除部２６を一方の電線解除穴３０に押圧挿入する。
【００４５】
第１解除冶具１９の解除部２６が一方の電線解除穴３０に押圧挿入されることにより、解除部２６により鎖錠部材を弾性変形させて内部電線２３を電線挿入穴３２から挿出させる。
【００４６】
続いて、第１解除冶具１９の解除部２６を他方の電線解除穴３０に押圧挿入する。
【００４７】
第１解除冶具１９の解除部２６が他方の電線解除穴３０に押圧挿入されることにより、解除部２６により鎖錠部材を弾性変形させて外部電線２２を電線挿入穴３２から挿出させる。
【００４８】
そして、内部電線２３および外部電線２２が引き抜かれた寿命を迎える給電部品１５を新しい給電部品１５に交換し、上記と同様にして、内部電線２３および外部電線２２を電線挿入穴３２にそれぞれ押圧挿入して速結端子にそれぞれ電気的に接続させることになる。
【００４９】
使用を終了した第１解除治具１９は、解除治具収納部２４に収納されることにより天板１１に保持される。
【００５０】
以上説明してきたように、本発明の第１実施形態の照明器具１０では、第１解除治具１９が、照明器具１０を構成する天板１１、絶縁部材１６、ソケット台１４のうちの一部品である天板１１に取り外し自在にして常備される。
これにより、使用期間を満了した給電部品１５の交換時等に行う各電線２２，２３の解除作業において、照明器具１０に常備されている第１解除治具１９を用いることになる。
従って、専用の第１解除冶具１９を常備することにより電線解除を容易に行って作業性の向上を図ることができる。
【００５１】
本発明の第１実施形態の照明器具１０では、給電部品１５に合わせた第１解除治具１９が装備される。
これにより、給電部品１５の電線解除穴３０へ、規格に合う第１解除治具１９が挿入される。
従って、代用品による無理な電線解除を行わずに部品の破損を防止することができる。
【００５２】
本発明の第１実施形態の照明器具１０では、専用の第１解除治具１９が適用される。
これにより、各電線２２，２３を切断する必要がなくなる。
従って、給電部品１５に各電線２２，２３が届かなくなることを防止することができ、作業性の向上を図ることができる。
【００５３】
本発明の第１実施形態の照明器具１０では、第１解除治具１９が、照明器具１０を構成する部材の一部に形成される。
これにより、第１解除治具１９を別部品として設ける必要がなくなる。
従って、単一の金型で照明器具１０を構成する部材と第１解除治具１９とをいっしょに形成することにより生産性の向上を図ることができる。
【００５４】
本発明の第１実施形態の照明器具１０では、第１解除治具１９が照明器具１０を構成する天板１１から切り離されて使用される。
これにより、速結端子のすぐ側に第１解除治具１９を形成する必要がなくなる。
従って、第１解除治具１９を、外観から見えない位置に形成するなど、形成する場所の自由度を高くすることができ、場所を選ばないために形状の自由度を大きくすることができる。また、第１解除治具１９が形成されている照明器具１０の特徴（給電部品の配置など）に合わせた専用設計ができ、専用設計により作業性の向上、作業時間の短縮を実現することができる。さらに、電線解除だけでなく、照明器具１０から外れにくい給電部品１５を、てこの原理で外すなど、別の用途に使用することもできる。加えて、一つの照明器具１０において複数箇所に速結端子を有する場合、一つの第１解除治具１９で、それら全ての電線を解除することができる。
【００５５】
本発明の第１実施形態の照明器具１０では、第１解除治具１９が、Ｖ字形の二股形状に形成される。
これにより、速結端子付近のスペースが狭い場合にも用いることができる。
従って、一般的な解除治具を使用することができない速結端子においても使用できるために、狭いスペースでの作業性を向上して、作業時間を短縮することができる。
【００５６】
（第２実施形態）
次に、本発明の第２実施形態の照明器具について説明する。なお、以下の各実施形態において、上述した第１実施形態と重複する構成要素や機能的に同様な構成要素については、図中に同一符号あるいは相当符号を付することによって説明を簡略化あるいは省略する。
【００５７】
図３に示すように、本発明の第２実施形態の照明器具４０は、天板１１の円形板部２０の一部にＶ字形状の解除治具収納切欠４２を形成しており、解除冶具収納切欠４２内に、連結部２９を介して解除部２６が円形板部２０に接続された第２解除治具４１を備えている。
【００５８】
第２実施形態の照明器具４０は、第１実施形態と同様の作用効果を奏する。特に、本実施形態では、第２解除治具４１を天板１１の円形板部２０の解除治具収納切欠４２内に配置しているために、天板１１の外形を小さくできるので、よりコンパクトな照明器具４０を提供することができる。
【００５９】
（第３実施形態）
次に、本発明の第３実施形態の照明器具について説明する。
【００６０】
図４に示すように、本発明の第３実施形態の照明器具５０は、天板１１の円形板部２０の一部にＩ字形状の解除治具収納切欠５２を形成しており、解除冶具収納切欠５２内に、連結部２９を介して本体５３が円形板部２０に接続された第３解除治具５１を備えている。解除冶具収納切欠５２は、第３解除治具５１の取り外しを容易にするための指挿入用開口部５４を有する。
【００６１】
第３解除治具５１は、Ｉ字形状に形成された本体５３の先端部に軸形状をなす解除部５５を有し、本体５３の基端部に握り部５６を有する。
【００６２】
第３解除治具５１は、寿命を迎える給電部品１５を新しい給電部品１５に交換する必要が生じた際に、まず、連結部２９を引きちぎることにより天板１１から取り外される。
【００６３】
そして、第３解除冶具５１の握り部５６を指で握り、解除部５５を電線解除穴３０に押圧挿入し、各電線２２，２３を電線挿入穴３２からそれぞれ挿出させる。
【００６４】
使用を終了した第３解除治具５１は、解除治具収納部２４に収納されることにより天板１１に保持される。
【００６５】
第３実施形態の照明器具５０は、第１実施形態と同様の作用効果を奏する。特に、本実施形態では、第３解除治具５１を天板１１の円形板部２０の解除治具収納切欠５２内に配置しているために、天板１１の外形を小さくできるので、よりコンパクトな照明器具５０を提供することができる。
【００６６】
（第４実施形態）
次に、本発明の第４実施形態の照明器具について説明する。
【００６７】
図５に示すように、本発明の第４実施形態の照明器具６０は、天板１１の矩形板部２１の側部の外端部に、連結部２９を介して本体６２が矩形板部２１に接続された第４解除治具６１を備えている。
【００６８】
第４解除治具６１は、Ｉ字形状に形成された本体６２の先端部に軸形状をなす解除部６３を有し、本体６２の基端部に握り部６４を有する。
【００６９】
第４解除治具６１は、寿命を迎える給電部品１５を新しい給電部品１５に交換する必要が生じた際に、まず、連結部２９を引きちぎることにより天板１１から取り外される。
【００７０】
そして、第４解除冶具６１の握り部６４を指で握り、解除部６３を電線解除穴３０に押圧挿入し、各電線２２，２３を電線挿入穴３２からそれぞれ挿出させる。
【００７１】
使用を終了した第４解除治具６１は、解除治具収納部２４に収納されることにより天板１１に保持される。
【００７２】
第４実施形態の照明器具６０は、第１実施形態と同様の作用効果を奏する。特に、本実施形態では、第４解除治具６１を天板１１の矩形板部２１の側部の外端部に接続しているために、天板１１の長さ方向を大きくすることなく、よりコンパクトな照明器具６０を提供することができる。
【００７３】
（第５実施形態）
次に、本発明の第５実施形態の照明器具について説明する。
【００７４】
図６に示すように、本発明の第５実施形態の照明器具７０は、照明器具７０を構成する天板１１、絶縁部材１６、ソケット台１４のうちの一部品である絶縁部材１６に取り外し自在に設けられた一対の第５解除治具７１を備えている。
【００７５】
第５解除治具７１は、絶縁部材１６の外周面の対向する位置に連結部２９を介してそれぞれ接続されており、コ字形状に形成されたフード部７２の内側に４本の軸形状の解除部７３をそれぞれ突出形成している。
【００７６】
図７に示すように、第５解除治具７１は、寿命を迎える給電部品１５を新しい給電部品１５に交換する必要が生じた際に、まず、連結部２９を引きちぎることにより絶縁部材１６から取り外される。
【００７７】
そして、第５解除冶具７１のフード部７２を指で握り、解除部７３を電線解除穴３０にそれぞれに押圧挿入し、各電線２２，２３を電線挿入穴３２からそれぞれ挿出させる。
【００７８】
第５実施形態の照明器具７０では、第５解除治具７１が、天板１１、絶縁部材１６、ソケット台１４の照明器具７０を構成する部材のうちの絶縁部材１６の一部に一体に形成される。
これにより、絶縁部材１６が絶縁体であるために、通電中の各電線２２，２３を誤って解除しようとしたとしても第５解除治具７１に通電することがない。
従って、解除作業中に作業者が第５解除治具７１を通じで感電することを防止できるとともに、複数箇所を同時に解除できる第５解除治具７１を形成することができるために作業効率を向上させることができる。
【００７９】
第５実施形態の照明器具７０では、第５解除治具７１を絶縁部材１６に取り外し自在に設けているために、絶縁部材１６から取り外す際に各電線２２，２３に支障なく取り外し作業を行うことができる。
【００８０】
（第６実施形態）
次に、本発明の第６実施形態の照明器具について説明する。
【００８１】
図８に示すように、本発明の第６実施形態の照明器具８０は、樹脂製の天板１１と、天板１１の下方を覆うように天板１１に固定される樹脂製の天板カバー８１と、光源である一対の直管型の蛍光ランプ８２と、給電部品８３を装備して蛍光ランプ８２を装着する２対のソケット８４と、樹脂製であって１対のソケット８４を取り付けている１対のソケット台８５と、照明器具８０を構成する天板１１、天板カバー８１、ソケット台８５のうちの一部品であるソケット台８５に取り外し自在に設けられた第６解除治具８６と、を備えて、天井面に直接設置される。
【００８２】
天板１１は、その中央部に安定器８７を取り付けており、その側部に解除治具収納部８８を形成している。
【００８３】
図９に示すように、第６解除治具８６は、ソケット台８５の上端縁に連結部２９を介して本体８９を接続している。
【００８４】
第６解除治具８６は、Ｉ字形状に形成された本体８９の先端部に軸形状をなす解除部９０を有し、本体８９の基端部に握り部９１を有する。
【００８５】
第６解除治具８６は、寿命を迎える給電部品８３を装備するソケット８４を新しいソケット８４に交換する必要が生じた際および、寿命を迎える安定器８７を新しい安定器８７に交換する必要が生じた際に、まず、連結部２９を引きちぎることによりソケット台８５から取り外される。
【００８６】
そして、第６解除冶具８６の握り部９１を指で握り、解除部９０を電線解除穴３０に押圧挿入し、各電線２２，２３を電線挿入穴３２からそれぞれ挿出させる。
【００８７】
使用を終了した第６解除治具８６は、解除治具収納部８８に収納されることにより天板１１に保持される。
【００８８】
第６実施形態の照明器具８０は、第１実施形態と同様の作用効果を奏する。特に、本実施形態では、ソケット台８５を天板１１に取り付ける際に、天板１１への位置決め基準として用いることができる。また、第６解除治具８６がソケット８４の近くに配置されているために、第６解除治具８６の存在を作業者に気付かせ易くすることができる。加えて、第６解除冶具８６をソケット台８５とは異なる色に塗装しておくことにより、その存在を明確にして作業性の向上を図ることができる。
【００８９】
（第７実施形態）
次に、本発明の第７実施形態の照明器具について説明する。
【００９０】
図１０、図１１に示すように、本発明の第７実施形態の照明器具１００は、照明器具１００を構成する天板１１、天板カバー８１、ソケット台８５のうちの一部品である天板１１の上端面における安定器８７の近傍に取り外し自在に設けられた第７解除治具１０１を備えている。
【００９１】
第７実施形態の照明器具１００は、第１実施形態と同様の作用効果を奏する。特に、本実施形態では、第７解除治具１０１を安定器８７の近傍に配置しているために、給電部品８３を装備しているソケット８４とともに安定器８７の電線解除を行う作業者に容易に気付かせることができる。
【００９２】
（第８実施形態）
次に、本発明の第８実施形態の照明器具について説明する。
【００９３】
図１２、図１３に示すように、本発明の第８実施形態の照明器具１１０は、天板１１の一部にＩ字形状の解除治具収納切欠１１１を形成しており、解除冶具収納切欠１１１内に、連結部２９を介して本体１１２が天板１１に接続された第８解除治具１１３を備えている。解除冶具収納切欠１１１は、第８解除治具１１３の取り外しを容易にするための指挿入用開口部５４を有する。
【００９４】
第８実施形態の照明器具１１０は、第７実施形態と同様の作用効果を奏する。特に、本実施形態では、第８解除治具１１３を天板１１の解除治具収納切欠１１１内に配置しているために、天板１１の外形を小さくできるので、よりコンパクトな照明器具１１０を提供することができる。
【００９５】
（第９実施形態）
次に、本発明の第９実施形態の照明器具について説明する。
【００９６】
図１４、図１５に示すように、本発明の第９実施形態の照明器具１２０は、照明器具１２０を構成する天板１１、天板カバー８１、ソケット台８５のうちの一部品である天板カバー８１に取り外し自在に設けられた第９解除治具１２１を備えている。
【００９７】
第９解除治具１２１は、天板カバー８１の上端縁に連結部２９を介して本体１２２を接続している。
【００９８】
第９解除治具１２１は、Ｉ字形状に形成された本体１２２の先端部に軸形状をなす解除部１２３を有し、本体１２２の基端部に握り部１２４を有する。握り部１２４は本体１２２の縁部を折り返し成形しているために指で握り易くなっている。
【００９９】
第９実施形態の照明器具１２０は、第７実施形態と同様の作用効果を奏する。特に、本実施形態では、第９解除治具１１３を天板カバー８１に配置しているために、天板カバー８１を天板１１に取り付ける際に、天板１１へのガイドとして機能させることができる。
【０１００】
（第１０実施形態）
次に、本発明の第１０実施形態の照明器具について説明する。
【０１０１】
図１６に示すように、本発明の第１０実施形態の照明器具１３０は、使い捨てであって、少なくとも１個以上の２個設けられており、給電部品８３や給電部品８３を装備しているソケット（電子ブロック）８４の推奨交換回数と同数の２個設けられた第１０解除冶具１３１を備えている。
【０１０２】
第１０解除冶具１３１は、照明器具１３０を構成する天板１１、天板カバー８１、ソケット台８５のうちの一部品であるソケット台８５に取り外し自在に設けられている。
【０１０３】
第１０解除治具１３１は、寿命を迎える給電部品８３を装備するソケット台８５を新しいソケット８４に交換する必要が生じた際および、寿命を迎える安定器８７を新しい安定器８７に交換する必要が生じた際に、まず、連結部２９を引きちぎることによりソケット台８５から取り外される。
【０１０４】
そして、第１０解除冶具１３１の握り部９１を指で握り、解除部９０を電線解除穴３０に押圧挿入し、各電線２２，２３を電線挿入穴３２からそれぞれ挿出させる。使用を終了した第１０解除治具１３１は廃棄されるために、ソケット８４の推奨交換回数に応じた残りの第１０解除治具１３１が残される。
【０１０５】
第１０実施形態の照明器具１３０では、使い捨てで使用される第１０解除治具１３１が、給電部品８３や給電部品８３を装備しているソケット８４の推奨交換回数と同数の２個設けられる。
これにより、照明器具１３０が寿命を迎えるまでに想定される給電部品８３の交換回数分の第１０解除治具１３１を形成することにより、第１０解除治具１３１の残りの本数によって、照明器具１３０の寿命を推測しやすくなり、それら第１０解除治具１３１を全て使用した場合、給電部品８３のみの交換でなく、照明器具１３０自体の交換を促すことができる。
【０１０６】
なお、前記各実施形態で使用した天板１１、ランプ１２、ソケット１３，８４、ソケット台１４，８５、蛍光ランプ８２等は例示したものに限定するものではなく適宜変更が可能である。
【符号の説明】
【０１０７】
１０、４０、５０、６０、７０、８０、１００、１１０、１２０、１３０  照明器具
１５、８３  給電部品
１９  第１解除治具（解除治具）
２２  外部電線（電線）
２３  内部電線（電線）
２６  解除部
２７  支え部
２８  握り部
３０  電線解除穴
４１  第２解除治具（解除治具）
５１  第３解除治具（解除治具）
６１  第４解除治具（解除治具）
７１  第５解除治具（解除治具）
８６  第６解除治具（解除治具）
１０１  第７解除治具（解除治具）
１１３  第８解除治具（解除治具）
１２１  第９解除治具（解除治具）
１３１  第１０解除治具（解除治具）
【図１】
2011023152.tif 000003
【図２】
2011023152.tif 000004
【図３】
2011023152.tif 000005
【図４】
2011023152.tif 000006
【図５】
2011023152.tif 000007
【図６】
2011023152.tif 000008
【図７】
2011023152.tif 000009
【図８】
2011023152.tif 000010
【図９】
2011023152.tif 000011
【図１０】
2011023152.tif 000012
【図１１】
2011023152.tif 000013
【図１２】
2011023152.tif 000014
【図１３】
2011023152.tif 000015
【図１４】
2011023152.tif 000016
【図１５】
2011023152.tif 000017
【図１６】
2011023152.tif 000018